(57)【要約】【課題】  ファシリティマネジメント（ＦＭ）に要求される多様な視点からの図面情報の利用が実現できる図面管理支援システムを提供する。【解決手段】  図面管理支援システムで使用される図面データを複数のテーブルにより管理する。そのために、任意の図面を構成要素となる図形の集合条件として定義し、図面名、図面種別等の情報を付与する図面定義情報テーブル１１と、ＦＭの対象となる全ての施設の図形情報の図形種別及び所属する施設・棟・フロア等の情報を記述する図形インデックス情報テーブル１２と、座標・線属性・文字属性等の図形の実態に関わる情報を図形の種別ごとに分類して記述する図形データ情報テーブル１３を設ける。また、図面以外の施設情報を図形インデックス情報テーブル１２とリンクさせて記録する施設情報テーブル１４を設ける。【選択図】  図１
2006040017.tif 000002
【特許請求の範囲】
【請求項１】
図面情報を入力して設計を行なう設計作業と該入力された図面の管理業務を支援する制御部とデータベースを有する図面管理支援システムであって、
前記図面管理支援システムで使用される図面を管理するための情報テーブルとして、前記データベースに、
任意の図面を構成要素となる図形の集合条件として定義し、少なくとも図面名、図面種別の情報を付与する図面定義情報テーブルと、
前記図形の少なくとも図形種別及び所属する位置の情報を記述する図形インデックス情報テーブルと、
少なくとも座標・線属性・文字属性の、図形の実態に関わる情報を図形の種別ごとに分類し、前記図形インデックス情報にリンクさせて記録する図形データ情報テーブルと、
図面以外の関連情報を前記図形インデックス情報とリンクさせ属性情報として記録する関連情報テーブルと、
を備えることを特徴とする図面管理支援システム。
【請求項２】
前記図面定義情報テーブル内に定義されている任意の図面を指定して構成要素としての図形情報を抽出すると共に、指定された表示条件を基に前記インデックス情報テーブル内の図形インデックス情報を介して関連する図形データ情報及び属性情報を決定し、各属性情報の集合体として参照する図面を生成する図面情報参照手段と、
前記図形インデックス情報テーブル中の図形インデックス情報にリンクされた図形情報データ及び属性情報の任意のフィールド値を、予め設定された表示制御条件と比較して、図形表示及び図形属性の切り替えを行う図形情報表示制御手段と、
図面作成・編集において、入力指定された編集条件に合致した図形情報の一括編集を行う図形情報編集制御手段と、
を備えることを特徴とする請求項１に記載の図面管理支援システム。
【請求項３】
図面情報を入力して設計を行なう設計作業と該入力された図面の管理業務を支援する制御部とデータベースを有する図面管理支援システムにおける図面管理支援方法であって、
前記図面管理支援システムで使用される図面を情報テーブルにより管理するために、
任意の図面を構成要素となる図形の集合条件として定義し、少なくとも図面名、図面種別の情報を付与する図面定義情報テーブルを生成し前記データベースに記録する手順と、
前記図形の少なくとも図形種別及び所属する位置の情報を記述する図形インデックス情報テーブルを生成し前記データベースに記録する手順と、
少なくとも座標・線属性・文字属性の、図形の実態に関わる情報を図形の種別ごとに分類し、前記図形インデックス情報にリンクさせて記録する図形データ情報テーブルを生成し前記データベースに記録する手順と、
図面以外の関連情報を前記図形インデックス情報とリンクさせ属性情報として記録する関連情報テーブルを生成し前記データベースに記録する手順と、
を含むことを特徴とする図面管理支援方法。
【請求項４】
前記図面定義情報テーブル内に定義されている任意の図面を指定して構成要素としての図形情報を抽出すると共に、指定された表示条件を基に前記インデックス情報テーブル内の図形インデックス情報を介して関連する図形データ情報及び属性情報を決定し、各属性情報の集合体として参照する図面を生成する図面情報参照手順と、
前記図形インデックス情報テーブル中の図形インデックス情報にリンクされた図形情報データ及び属性情報の任意のフィールド値を、予め設定された表示制御条件と比較して、図形表示及び図形属性の切り替えを行う図形情報の表示制御手順と、
図面作成・編集において、入力指定された編集条件に合致した図形情報の一括編集を行う図形情報編集制御手順と、
を含むことを特徴とする請求項３に記載の図面管理支援方法。
【請求項５】
図面情報を入力して設計を行なう設計作業と該入力された図面の管理とを支援する制御部とデータベースを有する図面管理支援システム内のコンピュータに、
前記図面管理支援システムで使用される図面を情報テーブルにより管理するために、
任意の図面を構成要素となる図形の集合条件として定義し、少なくとも図面名、図面種別の情報を付与する図面定義情報テーブルを生成し前記データベースに記録する手順と、
前記図形の少なくとも図形種別及び所属する位置の情報を記述する図形インデックス情報テーブルを生成し前記データベースに記録する手順と、
少なくとも座標・線属性・文字属性の、図形の実態に関わる情報を図形の種別ごとに分類し、前記図形インデックス情報にリンクさせて記録する図形データ情報テーブルを生成し前記データベースに記録する手順と、
図面以外の関連情報を前記図形インデックス情報とリンクさせ属性情報として記録する関連情報テーブルを生成し前記データベースに記録する手順と、
を実行させるためのプログラム。
【請求項６】
前記図面定義情報テーブル内に定義されている任意の図面を指定して構成要素としての図形情報を抽出すると共に、指定された表示条件を基に前記インデックス情報テーブル内の図形インデックス情報を介して関連する図形データ情報及び属性情報を決定し、各属性情報の集合体として参照する図面を生成する図面情報参照手順と、
前記図形インデックス情報テーブル中の図形インデックス情報にリンクされた図形情報データ及び属性情報の任意のフィールド値を、予め設定された表示制御条件と比較して、図形表示及び図形属性の切り替えを行う図形情報の表示制御手順と、
図面作成・編集において、入力指定された編集条件に合致した図形情報の一括編集を行う図形情報編集制御手順と、
を実行させるための請求項５に記載のプログラム。
【発明の詳細な説明】
【技術分野】
【０００１】
本発明は、図面管理支援システム、図面管理支援方法、及びプログラムに関し、特に、ファシリティマネジメント支援システムなどの図面管理支援システムに要求される多様な視点からの図面情報の利用が実現できる、図面管理支援システム、図面管理支援方法、及びプログラムに関するものである。
【背景技術】
【０００２】
ファシリティマネジメント（以下、単に「ＦＭ」ともいう）における施設状況の的確な評価と適切な施策立案には、その典拠となる情報の収集・管理手法の確立と、有用なツールによる情報の活用が不可欠である。そのためには、ＦＭでの利用を考慮した施設のモデル化と情報管理手法が必要となる。
【０００３】
このような観点から、ＦＭにおける図面情報の活用を目的としたファシリティマネジメント支援システム（以下、単に「ＣＡＦＭシステム」ともいう＝図面管理支援システム）と、これに適合する図面データ形式の検討が必要となる。
【０００４】
［従来のＣＡＦＭシステムにおける図面データの利用方法について説明］
ＣＡＦＭシステムは、図５に示すように、一般的にＤＢＭＳ（DataBase Management System）や建築ＣＡＤシステム等の集合体であるが、機能構成によってＤＢＭＳを主体とするＣＡＤシステム１０１と、建築ＣＡＤを主体とするＣＡＤシステム１０２とに大別することができる。
【０００５】
ＤＢＭＳを主体とするＣＡＤシステム１０１は、施設に関わる文字・数値情報等をデータベース化し管理するものであり、図面情報は建築ＣＡＤシステム等によって図面データ化され、データベースレコードの属性情報として参照・利用される。
【０００６】
建築ＣＡＤを主体とするＣＡＤシステム１０２は、建築ＣＡＤデータ内の図面構成要素である個々の図形データにデータベースレコードや画像情報等を属性情報としてリンクし、図形から施設情報を参照・利用する仕組みを取っている。
【０００７】
［ファシリティマネジメント（ＦＭ）における図面データ利用の課題］
ファシリティマネジメント（ＦＭ）において図面情報は、現況図をリソースとした増改築・模様替え・修繕等の設計図書作成以外に、スペース管理・固定資産管理・備品管理等において利用されている。
【０００８】
設計図書の作成を目的とした場合、図面情報は建築設計・生産業務のルールとフローに沿って利用されるため、従来の建築ＣＡＤによる図面データ形式を使用することが可能となる。
【０００９】
なお、本発明に関連する先行技術として、データベースシステムに関する発明が開示されており、この発明は、データベースに関して、要素に基づいた接点でチェーン検索するものであり、関連する異種の接点情報の検索が高速にできるようにすることを特徴としている（例えば、特許文献１参照）。
【００１０】
また、マルチメディアデータベース検索装置に関する発明が開示されており、この発明は、図形管理に関し、位置、長さなどのマルチメディアデータ特有の検索条件を図形により入力し、入力された図形を検索対象となるマルチメディアデータのデータ構造に対応する形式に変換して検索を行うことを特徴としている（例えば、特許文献２参照）。
【特許文献１】特開２００３−１４１１７３号公報
【特許文献２】特開平７−２００６２７号公報
【発明の開示】
【発明が解決しようとする課題】
【００１１】
近年のファシリティマネジメント（ＦＭ）においては、課題として、「減価償却や劣化状況を考慮した複数施設に対する適切な中長期投資計画の策定」、「管理会計に立脚したワークプレイスの生産性評価及び組織相互の関係性を考慮したワークスペース配置計画」、「多角的な指標による施設及びスペースの利用状況評価と将来の利活用計画の適切な立案と予測」、「稼働率等投資対効果の最大化を目標とした備品管理等」が重要視される傾向にある。
【００１２】
このような課題に対応するＦＭ業務支援機能をＣＡＦＭシステムへ実装する場合には、「複数施設やフロアに点在する図形に対する横断的な編集」、「利用目的に応じた要素図形のみによる図面情報の再構成」、「多角的な視点からの図形のグルーピングと編集・ダイアグラム等建築図面以外の表現」等の要件を実現する必要がある。
【００１３】
しかしながら、従来の建築ＣＡＤシステムによる一般的な図面データ形式は、一つの図面を一つのデータファイルと規定している。そのため、任意の図形は特定の図面に従属することとなり、図面の範囲を超えた移動・統合・連携等の操作が困難となっている。また、図形はレイヤにより、一意的に分類・管理されているため、ＦＭで求められる様々な目的や指標による分類の要求には十分に対応ができない。
【００１４】
例えば、図６は、従来の図面データ構造による問題点を説明するための図であり、建築ＣＡＤシステムにおける図面データ１１１は、各図面要素がレイヤごとに記録された分類され、これらのレイヤが集合して、１つの図面ファイル１１２として管理されている。
【００１５】
このため、複数の図面を跨ぐ別図面ファイル１１３の作成ができず、また、図面要素によるブロックフローチャート１１４の作成が行なえい。また、異なる分類による図面情報の活用が行なえない。例えば、使用組織別の分類図１１５、賃貸契約の分類図１１６、床仕上げの分類図１１７などのＦＭに関する図面を作成することができなかった。
【００１６】
また、上記先行する２つの発明は、ファシリティマネジメント（ＦＭ）に要求される多様な視点からの図面情報の利用が実現できることを目的としたものではなく、本発明とはその目的が異なるものである。
【００１７】
本発明はこのような問題を解決するためになされたもので、その目的は、ファシリティマネジメント支援システムなどの図面管理支援システムに要求される多様な視点からの図面情報の利用が実現できる、図面管理支援システム、図面管理支援方法、及びプログラムを提供することにある。
【課題を解決するための手段】
【００１８】
本発明は上記課題を解決するためになされたものであり、本発明の図面管理支援システムは、図面情報を入力して設計を行なう設計作業と該入力された図面の管理業務を支援する制御部とデータベースを有する図面管理支援システムであって、前記図面管理支援システムで使用される図面を管理するための情報テーブルとして、前記データベースに、任意の図面を構成要素となる図形の集合条件として定義し、少なくとも図面名、図面種別の情報を付与する図面定義情報テーブルと、前記図形の少なくとも図形種別及び所属する位置の情報を記述する図形インデックス情報テーブルと、少なくとも座標・線属性・文字属性の、図形の実態に関わる情報を図形の種別ごとに分類し、前記図形インデックス情報にリンクさせて記録する図形データ情報テーブルと、図面以外の関連情報を前記図形インデックス情報とリンクさせ属性情報として記録する関連情報テーブルとを備えることを特徴とする。
【００１９】
また、本発明の図面管理支援システムは、前記図面定義情報テーブル内に定義されている任意の図面を指定して構成要素としての図形情報を抽出すると共に、指定された表示条件を基に前記インデックス情報テーブル内の図形インデックス情報を介して関連する図形データ情報及び属性情報を決定し、各属性情報の集合体として参照する図面を生成する図面情報参照手段と、前記図形インデックス情報テーブル中の図形インデックス情報にリンクされた図形情報データ及び属性情報の任意のフィールド値を、予め設定された表示制御条件と比較して、図形表示及び図形属性の切り替えを行う図形情報表示制御手段と、図面作成・編集において、入力指定された編集条件に合致した図形情報の一括編集を行う図形情報編集制御手段とを備えることを特徴とする。
【００２０】
また、本発明の図面管理支援方法は、図面情報を入力して設計を行なう設計作業と該入力された図面の管理業務を支援する制御部とデータベースを有する図面管理支援システムにおける図面管理支援方法であって、前記図面管理支援システムで使用される図面を情報テーブルにより管理するために、任意の図面を構成要素となる図形の集合条件として定義し、少なくとも図面名、図面種別の情報を付与する図面定義情報テーブルを生成し前記データベースに記録する手順と、前記図形の少なくとも図形種別及び所属する位置の情報を記述する図形インデックス情報テーブルを生成し前記データベースに記録する手順と、少なくとも座標・線属性・文字属性の、図形の実態に関わる情報を図形の種別ごとに分類し、前記図形インデックス情報にリンクさせて記録する図形データ情報テーブルを生成し前記データベースに記録する手順と、図面以外の関連情報を前記図形インデックス情報とリンクさせ属性情報として記録する関連情報テーブルを生成し前記データベースに記録する手順とを含むことを特徴とする。
【００２１】
また、本発明の図面管理支援方法は、前記図面定義情報テーブル内に定義されている任意の図面を指定して構成要素としての図形情報を抽出すると共に、指定された表示条件を基に前記インデックス情報テーブル内の図形インデックス情報を介して関連する図形データ情報及び属性情報を決定し、各属性情報の集合体として参照する図面を生成する図面情報参照手順と、前記図形インデックス情報テーブル中の図形インデックス情報にリンクされた図形情報データ及び属性情報の任意のフィールド値を、予め設定された表示制御条件と比較して、図形表示及び図形属性の切り替えを行う図形情報の表示制御手順と、図面作成・編集において、入力指定された編集条件に合致した図形情報の一括編集を行う図形情報編集制御手順とを含むことを特徴とする。
【００２２】
また、本発明のプログラムは、図面情報を入力して設計を行なう設計作業と該入力された図面の管理とを支援する制御部とデータベースを有する図面管理支援システム内のコンピュータに、前記図面管理支援システムで使用される図面を情報テーブルにより管理するために、任意の図面を構成要素となる図形の集合条件として定義し、少なくとも図面名、図面種別の情報を付与する図面定義情報テーブルを生成し前記データベースに記録する手順と、前記図形の少なくとも図形種別及び所属する位置の情報を記述する図形インデックス情報テーブルを生成し前記データベースに記録する手順と、少なくとも座標・線属性・文字属性の、図形の実態に関わる情報を図形の種別ごとに分類し、前記図形インデックス情報にリンクさせて記録する図形データ情報テーブルを生成し前記データベースに記録する手順と、図面以外の関連情報を前記図形インデックス情報とリンクさせ属性情報として記録する関連情報テーブルを生成し前記データベースに記録する手順とを実行させるためのプログラムである。
【００２３】
また、本発明のプログラムは、前記図面定義情報テーブル内に定義されている任意の図面を指定して構成要素としての図形情報を抽出すると共に、指定された表示条件を基に前記インデックス情報テーブル内の図形インデックス情報を介して関連する図形データ情報及び属性情報を決定し、各属性情報の集合体として参照する図面を生成する図面情報参照手順と、前記図形インデックス情報テーブル中の図形インデックス情報にリンクされた図形情報データ及び属性情報の任意のフィールド値を、予め設定された表示制御条件と比較して、図形表示及び図形属性の切り替えを行う図形情報の表示制御手順と、図面作成・編集において、入力指定された編集条件に合致した図形情報の一括編集を行う図形情報編集制御手順とを実行させるためのプログラムである。
【発明の効果】
【００２４】
本発明の図面管理支援システム及び図面管理支援方法においては、図面データを管理するために図面定義情報テーブルと、図形インデックス情報テーブルと、図形データ情報テーブルとを設ける。
これにより、多様な視点からの図面情報の利用が実現できるようになる。例えば、ファシリティマネジメント支援システム（ＣＡＦＭシステム）に使用した場合において、特に、大量の施設を管理する際には施設情報の品質確保の点でも有効性が高い。また、従来の建築ＣＡＤによる図面データとの親和性が高い。また、建築設計・生産を目的とした図面情報管理に利用できる。
【００２５】
また、本発明の図面管理支援システム及び図面管理支援方法においては、指定された図面の図形情報の抽出し、関連する図形データ情報及び属性情報を決定し、各属性情報の集合体として参照する図面を具現化する。また、図形表示及び図形属性の切り替えや、入力指定された編集条件に合致した図形情報の一括編集を行う。
これにより、図面管理支援システムにおいて、指定された表示条件等に従い、各情報の集合体として参照する図面が具現化される。例えば、図形情報の集合条件の設定や図形データ情報の差し替えが行なえる。また、従来のレイヤにより管理される図面管理方法と比較して、より柔軟な表示制御が可能となるため、様々な目的に応じた図面情報の利用が可能となる。また、図面作成・編集においては、編集条件に合致した図形情報の一括編集等が行なえる。
【発明を実施するための最良の形態】
【００２６】
次に本発明を実施するための最良の形態について図面を参照して説明する。なお、本発明による図面管理支援システムは、図面情報を入力して設計作業を行なうことを支援し、また図面の管理を支援する全ての種類の図面管理支援システムに適用することができるが、本発明の実施の形態例として、ファシリティマネジメントを支援するファシリティマネジメント支援システムを例にして説明する。
【００２７】
図１は、本発明のファシリティマネジメント支援システム（ＣＡＦＭシステム）で使用される、ファシリティマネジメント（ＦＭ）の図面データを管理する定義テーブル(図面を管理するための情報テーブル)の例を示す図である。
【００２８】
本発明のファシリティマネジメント支援システム（ＣＡＦＭシステム）において使用する図面データ形式は、ファシリティマネジメント（ＦＭ）における情報活用を目的とした図面データ形式であり、図形情報が特定の図面に依存しないこと、図形の多視点的な分類の実現を主な目的とし、図面及び図形の情報を以下のように分類し、データベース中にテーブルデータとして定義している。
【００２９】
第１に、「図面定義情報テーブル１１」として、任意の図面がどのような図形によって構成されるかを、構成要素となる図形の集合条件として定義し、「図面名（ラベル）」、「図面種別」、「抽出図形条件」などの情報を付与する。
【００３０】
第２に、「図形インデックス情報テーブル１２」として、ファシリティマネジメント（ＦＭ）の対象となる全ての施設の図形情報について、「図形ＩＤ」、「図形種別」、「配置座標」、「所属する施設・棟・フロア」などの情報を記述する。
【００３１】
第３に、「図形データ情報テーブル（図形の種別ごとに定義）１３」として、「図形種別」、「形状情報」、「図形属性」などの情報を付与する。すなわち、図形データ情報１３には、座標・線属性・文字属性等、図形の実体に関わる情報を図形の種別ごとに分類し記述するようにしている。また、図形データ情報テーブル１３は属性情報として図形インデックス情報テーブル１２内の図形インデックス情報にリンクする構成としている。
【００３２】
システム実装に際しては、これらの情報に対応するデータベーステーブルを定義する。また、図形以外の様々な施設情報についてもデータベース化し「施設情報テーブル(関連情報テーブル)１４」に定義する、また、施設情報テーブル１４は属性情報として図形インデックス情報テーブル１２内の図形インデックス情報にリンクする構成としている。
【００３３】
［ＣＡＦＭ図面データによる図面情報の利用］
図２は、ＣＡＦＭ図面データによる図面情報の利用形態を示す図であり、図２に示すように、本発明のファシリティマネジメント支援システム（ＣＡＦＭシステム）における、ＣＡＦＭ図面データによる情報活用の形態としては、「図面情報の参照」、「図面情報の表示制御」、「図面情報の編集制御」などがある。
【００３４】
第１の「図面情報の参照」は、以下のようにして行なわれる。
最初に、図面定義情報テーブル１１内に定義されている任意の図面の指定、および表示条件等（表示条件、表示形態、表示範囲等）を指定する。これにより、ＣＡＦＭシステムにおいて、指定された図面の構成要素としての図形情報が抽出される。
【００３５】
次に、ＣＡＦＭシステムにおいては、データベース２０中の図形インデックス情報テーブル１２内の図形インデックス情報を参照し、関連する図形データ情報（図形データ情報テーブル１３内の図形データなど）及び属性情報（施設情報テーブル１４内の施設情報など）を決定する。
【００３６】
これにより、指定された表示条件等に従い、各情報の集合体として参照する図面が具現化され、例えば、図形情報の集合条件の設定や図形データ情報の差し替えが行なわれる。
【００３７】
これにより、例えば、目的に特化したＦＭ図面２１や、スタッキングチャート２２、ブロックチャート２３等のファシリティマネジメントに特化した図面が得られる。
ここでいうＦＭ図面２１はスペース管理における「清掃作業管理図」「賃貸借管理図」等、各種ＦＭ業務の目的に特化したものであり、またスタッキングチャート２２は建物を平面ではなく断面的に見た組織の配置計画に利用するもの、さらにブロックチャート２３はリロケーション（引っ越し）等における組織の関係性・関連性の評価・分析を目的としたものである。
【００３８】
また、各テーブル内の情報は等価に相互参照が可能であり、任意の属性情報や図形から関連する図面の探索・参照も行なえるように構成されている。
【００３９】
第２の「図形情報の表示制御」は、以下のようにして行なわれる。
最初に、所望の表示制御条件（表示条件）を設定する。なお、必要な場合にはセキュリティ条件（ユーザ参照制限情報等）も設定する。
【００４０】
そして、ＣＡＦＭシステムでは、データベース２０を参照し、図形インデックス情報テーブル１２中の図形インデックス情報にリンクされた属性情報（図形データ情報や施設情報）の任意のフィールド値を、設定された表示制御条件と比較することにより、図形表示及び図形属性の切り替えを行う。
【００４１】
これにより、例えば、管理会計・減損会計を目的としたスペースの使用組織別分類及び集計・分析を目的とした使用組織別のＦＭ図面２４、リーシング（賃貸借）における契約コストや電気・水道・ガス等の共益費の按分の算出を可能とするスペースの契約者別分類を目的とした契約別のＦＭ図面２５、管理会計・減損会計を目的とした、清掃契約や単位面積あたりの使用者数、組織ごとの使用面積、スペースコストの把握を目的とした、建物入居者のための入居者向けのＦＭ図面２６などを表示することができる。
【００４２】
このように、本発明による図面管理方法では、従来のレイヤにより管理される図面管理方法と比較して、より柔軟な表示制御が可能となるため、ＦＭでの様々な目的に応じた図面情報の利用が可能となる。また、情報セキュリティ制御機能との連携によるユーザ権限ごとの情報参照の制限等へも対応できる。
【００４３】
第３の「図形情報の編集制御」は以下のようにして行なわれる。
最初に、所望の編集条件を設定する。また、所望の編集命令を入力する。
【００４４】
ＣＡＦＭシステムでは、指定された編集条件と編集命令に応じて、データベース２０を参照し、条件に合致した図形情報を抽出して一括編集を行い、その結果を出力する。この一括編集処理を実行することにより、例えば、点検指示図面２７の作成、部品の保管場所変更の図面２８の作成、複数の図面を統合した図面を作成することができる。
【００４５】
このように、ファシリティマネジメント（ＦＭ）における施策実施の際の図面作成・編集においては、編集条件に合致した図形情報の一括編集等が必要となるが、本発明によるファシリティマネジメント支援システムにおけるＣＡＦＭの図面データは、図面単位で閉じていないため、施設やフロアに制限されない図形移動や、点検対象の備品や領域情報を一定の条件に従って変更する等の処理を、全管理対象施設に対して一括に行うことが可能となる。
【００４６】
以上説明したように、本発明のファシリティマネジメント支援システムにおけるＣＡＦＭ図面データは、ＦＭに要求される多様な視点からの図面情報利用を実現する。特に大量の施設を管理する際には、施設情報の品質確保の点でも有効性が高い。また、従来の建築ＣＡＤによる図面データとの親和性も高く、建築設計・生産を目的とした図面情報管理にも利用可能である。
【００４７】
また、図３は、本発明によるファシリティマネジメント支援システムの構成例を示す図であり、ファシリティマネジメント支援システム１は、システム全体を統括制御する制御部３１、通信ネットワーク２を介して、複数の端末３を通信接続する通信用インタフェース３２、及び処理プログラム部４０を有している。
【００４８】
また、処理プログラム部４０には、以下の処理部が含まれている。
【００４９】
図面情報入力処理部４１は、設計図面、施設情報等の設計情報を入力するための処理部である。
【００５０】
図面定義情報テーブル生成処理部４２は、図面情報入力処理部４１により入力された図面情報や施設情報等から、図面定義情報テーブル１１を生成してデータベース２０に記録するための処理部である。
【００５１】
図形インデックス情報テーブル生成処理部４３は、図面情報入力処理部４１により入力された図面情報や施設情報等から、図形インデックス情報テーブル１２を生成してデータベース２０に記録するための処理部である。
【００５２】
図形データ情報テーブル生成処理部４４は、図面情報入力処理部４１により入力された図面情報や施設情報等から、図形データ情報テーブル１３を生成してデータベース２０に記録するための処理部である。
【００５３】
施設情報テーブル生成処理部４５は、図面情報入力処理部４１により入力された図面情報や施設情報等から、施設情報テーブル１４を生成してデータベース２０に記録するための処理部である。
【００５４】
図面情報参照処理部（図面情報参照手段）４６は、図面定義情報テーブル１１内に定義されている任意の図面を指定することで構成要素としての図形情報を抽出する。この場合、図形インデックス情報テーブル１２に記録された図形インデックス情報を介して関連する図形データ情報及び属性情報が決定される。また、図形情報の集合条件の設定や図形データ情報の差し替えを行い、スタッキング、ブロックチャート等のファシリティマネジメント（ＦＭ）に特化した図面を生成する処理を行う。
【００５５】
図形情報表示制御処理部（図面情報表示制御手段）４７は、図形インデックス情報テーブル１２内の図形インデックス情報にリンクされた図形データや属性情報の任意のフィールド値をＣＡＦＭシステム側で設定した表示制御条件と比較し、この表示制御条件を基に、図形表示及び図形属性を切り替える処理を行う。
【００５６】
図形情報編集制御処理部（図面情報編集制御手段）４８は、入力された編集条件に応じて、条件に合致した図形情報の一括編集を行う。
【００５７】
表示／編集条件等設定処理部４９は、図面情報参照処理部４６と、図形情報表示制御処理部４７と、図形情報編集制御処理部４８とで処理が行われる場合に参照される各種の条件（表示条件や編集条件）の入力を受付るための処理部である。
【００５８】
なお、データベース２０内の図面定義情報テーブル１１には、任意の図面がどのような図形によって構成されるかを、構成要素となる図形の集合条件として定義し、「図面名（ラベル）」、「図面種別」、「抽出図形条件」などの情報が付与されている。
【００５９】
図形インデックス情報テーブル１２には、ファシリティマネジメント（ＦＭ）の対象となる全ての施設の図形情報について、「図形ＩＤ」、「図形種別」、「配置座標」、「所属する施設・棟・フロア」などの情報が記述されている。
【００６０】
図形データ情報テーブル１３には、座標・線属性・文字属性等、図形の実体に関わる情報が、図形の種別ごとに分類し記述されている。なお、この図形データ情報テーブル１３は、図形インデックス情報テーブル１２内の図形インデックス情報に属性情報としてリンクしている。
【００６１】
施設情報テーブル１４には、図形以外の様々な施設情報について、属性情報として図形インデックス情報テーブル１２にリンクする構成で記録されている。なお、この施設情報テーブル１４は、図形インデックス情報テーブル１２内の図形インデックス情報に属性情報としてリンクしている。
【００６２】
表示条件等情報１５は、表示／編集条件等設定処理部４９において、図面情報参照処理部４６と図面情報表示制御処理部４７とで使用される表示条件等（表示条件、表示範囲、表示形態など）を指定する場合に、選択（指定）可能な表示条件等（表示条件、表示範囲、表示形態なお）の情報を記録した情報である。
【００６３】
セキュリティ条件情報１６は、表示／編集条件等設定処理部４９において、図面情報表示制御処理部４７で使用されるセキュリティ条件（ユーザ参照制限情報等）を指定する場合に、選択（指定）可能なセキュリティ条件の情報を記録した情報である。
【００６４】
編集条件等情報１８は、表示／編集条件等設定処理部４９において、図形情報編集制御処理部４８で使用される編集条件等（編集条件や編集命令など）を指定する場合に、選択（指定）可能な編集条件等（編集条件や編集命令など）の情報を記録した情報である。
【００６５】
図４は、上述したファシリティマネジメント支援システム（ＣＡＦＭシステム）における処理の流れを整理して示したフローチャートである。
【００６６】
図４において、ＣＡＦＭシステムに、図面情報や施設情報が入力されると（ステップＳ１、Ｓ２）、ＣＡＦＭシステムでは、入力された図面情報や施設情報を基に、図面定義情報テーブル１１を生成し（ステップＳ３）、図形インデックス情報テーブル１２を生成し（ステップＳ４）、また、図形データ情報テーブル１３を生成する（ステップＳ５）。さらに、施設情報テーブル１４を生成し（ステップＳ６）、各テーブルの情報をデータベース２０に記録する。
【００６７】
また、図形情報参照処理においては、最初に、図面定義情報テーブル１１内に定義されている任意の図面の指定を行なう（ステップＳ１１）。また、表示条件等（表示条件、表示形態、表示範囲等）を指定する（ステップＳ１２、Ｓ１３、Ｓ１４）。
【００６８】
次に、ＣＡＦＭシステムにおいて、図面情報参照処理が実行される（ステップＳ１５）。すなわち、ＣＡＦＭシステムでは、図面の構成要素としての図形情報を抽出し、また、データベース２０中の図形インデックス情報テーブル１２内の図形インデックス情報を参照し、関連する図形データ情報（図形データ情報テーブル１３内のデータなど）及び属性情報（施設情報テーブル１４内の施設情報など）が決定される。
【００６９】
これにより、指定された表示条件等に従い、各情報の集合体として参照する図面が具現化される。例えば、図形情報の集合条件の設定や図形データ情報の差し替えが行われ、目的に特化した図面や、スタッキングチャート、ブロックチャート等のファシリティマネジメントに特化した図面が出力される（ステップＳ１６）。
【００７０】
また、図形情報の表示制御処理においては、最初に、所望の表示制御条件（表示条件）を設定する（ステップＳ２１）。なお、必要な場合にはセキュリティ条件（ユーザ参照制限情報等）も設定する（ステップＳ２２）。
【００７１】
次に、ＣＡＦＭシステムにおいて、図形表示制御処理が実行される（ステップＳ２３）。すなわち、ＣＡＦＭシステムでは、データベース２０を参照し、図形インデックス情報テーブル１２中の図形インデックス情報にリンクされた属性情報（図形データ情報や施設情報）の任意のフィールド値を、設定された表示制御条件と比較することにより、図形表示及び図形属性の切り替えを行う。
【００７２】
これにより、例えば、使用組織別のＦＭ図面、契約別のＦＭ図面、入居者向けのＦＭ図面などを表示出力することができる（ステップＳ２４）。
【００７３】
また、図形情報の編集制御においては、最初に、所望の編集条件を設定する（ステップＳ３１）。また、所望の編集命令を入力する（ステップＳ３２）。
【００７４】
次に、ＣＡＦＭシステムにおいて、指定された編集条件と編集命令に応じて、データベース２０を参照し、条件に合致した図形情報を抽出して一括編集を行う（ステップＳ３２）。
【００７５】
そして、例えば、点検指示図面、部品の保管場所変更の図面、複数の図面を統合した図面などを作成して出力する（ステップＳ３４）。
【００７６】
以上、本発明の実施の形態について説明したが、図３に示すファシリティマネジメント支援システム１内の処理プログラム部４０は専用のハードウェアにより実現されるものであってもよく、またこの処理プログラム部４０はメモリおよびＣＰＵ（中央処理装置）等の汎用の情報処理装置により構成され、この処理部の機能を実現するためのプログラム（図示せず）をメモリにロードして実行することによりその機能を実現させるものであってもよい。また、このファシリティマネジメント支援システム１には、周辺機器として入力装置、表示装置等（いずれも表示せず）が接続されているものとする。ここで、入力装置としては、キーボード、マウス等の入力デバイスのことをいう。表示装置とは、ＣＲＴ（Cathode Ray Tube）や液晶表示装置等のことをいう。
【００７７】
また処理プログラム部４０の機能を実現するためのプログラムをコンピュータ読み取り可能な記録媒体に記録して、この記録媒体に記録されたプログラムをコンピュータシステムに読み込ませ、実行することにより本発明に必要な処理を行ってもよい。なお、ここでいう「コンピュータシステム」とは、ＯＳや周辺機器等のハードウェアを含むものとする。
【００７８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００７９】
さらに「コンピュータ読み取り可能な記録媒体」とは、インターネット等のネットワークや電話回線等の通信回線を介してプログラムを送信する場合の通信線のように、短時間の間、動的にプログラムを保持するもの(伝送媒体ないしは伝送波)、その場合のサーバやクライアントとなるコンピュータシステム内部の揮発性メモリのように、一定時間プログラムを保持しているものも含むものとする。
【００８０】
また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００８１】
以上、本発明の実施の形態について説明したが、本発明によるファシリティマネジメント支援システム（ＣＡＦＭシステム）は、上述の図示例にのみ限定されるものではなく、本発明の要旨を逸脱しない範囲内において種々変更を加え得ることは勿論である。
【産業上の利用可能性】
【００８２】
本発明は、図面管理支援システム（例えば、ファシリティマネジメント支援システム）に要求される多様な視点からの図面情報利用が実現でき、大量の施設を管理する際には施設情報の品質確保の点でも有効性が高く、また、従来の建築ＣＡＤによる図面データとの親和性が高く、建築設計・生産を目的とした図面情報管理にも利用できる効果を奏するので、本発明は、図面管理支援システム、図面管理支援方法、及びプログラム等に有効である。
【図面の簡単な説明】
【００８３】
【図１】本発明によるファシリティマネジメント支援システムの図面データを管理する情報テーブルの例を示す図である。
【図２】ファシリティマネジメント支援システムにおける図面情報の利用形態の例を示す図である。
【図３】本発明によるファシリティマネジメント支援システムの構成例を示す図である。
【図４】ファシリティマネジメント支援システムにおける処理の流れを示すフローチャートである。
【図５】従来のＣＡＦＭシステムにおける図面情報の利用について説明するための図である。
【図６】従来の図面データ構造による問題点について説明するための図である。
【符号の説明】
【００８４】
１  ファシリティマネジメント支援システム
２  通信ネットワーク
３  端末
１１  図面定義情報テーブル
１２  図形インデックス情報テーブル
１３  図形データ情報テーブル
１４  施設情報テーブル
２０  データベース
３１  制御部
３２  通信用インタフェース
４０  処理プログラム部
４１  図面情報入力処理部
４２  図面定義情報テーブル生成処理部
４３  図形インデックス情報テーブル生成処理部
４４  図形データ情報テーブル生成処理部
４５  施設情報テーブル生成処理部
４６  図面情報参照処理部
４７  図面情報表示制御処理部
４８  図形情報編集制御処理部
４９  表示／編集条件等設定処理部
【図１】
2006040017.tif 000003
【図２】
2006040017.tif 000004
【図３】
2006040017.tif 000005
【図４】
2006040017.tif 000006
【図５】
2006040017.tif 000007
【図６】
2006040017.tif 000008